(57)【要約】【課題】  外力の作用に対する信頼性を向上させる。【解決手段】  ＩＣチップが外部と交信するためのアンテナが基層に埋め込まれた物流用ＩＣタグであって、上記基層が気泡を含有する発泡材からなり、ＩＣチップがＴＣＰ（tape carrier package）としてパッケージングされると供に当該ＴＣＰの電極部を介してアンテナと接続され、上記ＴＣＰの電極部及びＩＣチップが基層に形成された窪み部に埋没する。【選択図】      図１
2006018501.tif 000002
【特許請求の範囲】
【請求項１】
ＩＣチップが外部と交信するためのアンテナが基層に埋め込まれた物流用ＩＣタグであって、
前記基層が気泡を含有する発泡材からなり、ＩＣチップがＴＣＰ（tape carrier package）としてパッケージングされると供に当該ＴＣＰの電極部を介してアンテナと接続され、前記ＴＣＰの電極部及びＩＣチップが基層に形成された窪み部に埋没することを特徴とする物流用ＩＣタグ。
【発明の詳細な説明】
【技術分野】
【０００１】
本発明は、物流用ＩＣタグに関する。
【背景技術】
【０００２】
周知のように、データキャリア装置の１つとしてＩＣタグがある。このＩＣタグは、例えば特開２００２−１５０２４８号公報にも開示されているように、物流分野においても従来のバーコードの代用として普及し始めている。このような物流用のＩＣタグは、物流商品の属性情報（送り先、発注元及び商品情報等）をＩＣチップに記憶するものであり、これら属性情報のＩＣチップへの書き込みや読み出しをアンテナを介して電磁的に外部機器と行う非接触タイプが主である。
【特許文献１】特開２００２−１５０２４８号公報
【発明の開示】
【発明が解決しようとする課題】
【０００３】
ところで、上記特開２００２−１５０２４８号公報でも問題点としているが、物流過程では物流商品に種々の外力が作用する。したがって、ＩＣタグにもこれら外力によって内部応力が発生し、最悪な場合には破損することが想定される。物流商品が例えば袋状であり可とう性を有するものである場合には、袋の表面に貼付されたＩＣタグには曲げ応力が発生することが考えられ、一方、可とう性の低い例えば箱状の物流商品の場合には、箱の一面に貼付されたＩＣタグには、例えば箱が倒れたとき等に衝撃性の圧縮応力が発生する。
【０００４】
しかしながら、このような曲げ応力や衝撃性の圧縮応力によってＩＣタグが破損した場合、物流商品の属性情報を読み出すことができなくなるが、このような事態は信頼性の面で極めて重大な問題点である。特に、従来から使用されているバーコードは紙面にプリントされているものであり、外力に対する信頼性の面では極めて優れており、ＩＣタグを物流用に使用するためには、外力に対する信頼性を高める必要がある。
【０００５】
本発明は、このような事情に鑑みてなされたものであり、外力の作用に対する信頼性を向上させることを目的とするものである。
【課題を解決するための手段】
【０００６】
上記目的を達成するために、本発明では、ＩＣチップが外部と交信するためのアンテナが基層に埋め込まれた物流用ＩＣタグであって、上記基層が気泡を含有する発泡材からなり、ＩＣチップがＴＣＰ（tape carrier package）としてパッケージングされると供に当該ＴＣＰの電極部を介してアンテナと接続され、上記ＴＣＰの電極部及びＩＣチップが基層に形成された窪み部に埋没する、という解決手段を採用する。
【発明の効果】
【０００７】
本発明によれば、基層が気泡を含有する発泡材からなる、つまり基層が緩衝性能を有するので、外力に起因する曲げ応力や衝撃性の圧縮応力に対してＩＣチップ及びアンテナを保護することが可能である。したがって、本発明によれば、外力に対する信頼性を従来技術よりも向上させることができる。
【発明を実施するための最良の形態】
【０００８】
以下、図面を参照して、本発明の実施形態について説明する。
〔第１実施形態〕
最初に、本発明の第１実施形態について、図１を参照して説明する。
この図１において、（ａ）は正面図、（ｂ）は当該正面図におけるＡ1−Ａ1矢視図である。この図１において、符号１は基層、２はＩＣチップ、３はアンテナ、４Ａ，４Ｂは接着層、６Ａ，６Ｂは緩衝層である。すなわち、本実施形態に係る物流用ＩＣタグＸ1は、板状の基層１上にＩＣチップ２及びアンテナ３が埋め込まれ、さらに基層１の両面に発泡材からなる緩衝層６Ｂ，６Ｃが各々に接着層４Ａ，４Ｂを介して貼り合わされている。
【０００９】
上記基層１は、内部に多数の気泡が均一に分散した発泡材から形成されており、緩衝性能を有している。この発泡材は、例えば特開平８−１７６３３０号公報に開示されたものである。すなわち、当該発泡材は、基材がポリエステル系樹脂から形成されており、内部に多数の微細空洞（気泡）を有するものである。このような発泡材の緩衝性能（クッション性）は、気泡含有率と比重とによって規定される。このような基層１には、図示するように貫通孔１ａが形成されており、また当該貫通孔１ａの片側（図では上側）には座ぐり孔１ｃが形成されている。
【００１０】
ＩＣチップ２は、アンテナ３と接続されており、当該アンテナ３を介して入力される物流商品の各種属性情報を記憶すると共に、アンテナ３を介して外部から要求される各種属性情報の読み出し要求に応答して当該各種属性情報をアンテナ３を介して外部に出力する。このＩＣチップ２は、ＴＣＰ（tape carrier package）としてパッケージングされたものであり、薄板状の電極部２ａを備えている。当該ＩＣチップ２は、図示するように基層１の貫通孔１ａに嵌まり込んだ状態で実装され、また電極部２ａは上記座ぐり孔１ｃ内に嵌まり込んだ状態で実装されている。
【００１１】
アンテナ３はＩＣチップ２が外部と交信するためのものであり、１０ＭＨｚ程度の電波を用いるものの場合は図示するようにループ状のコイルアンテナを基層１に埋め込んだものであり、また９５０ＭＨｚの電波を用いるものの場合には棒状に伸びるアンテナを基層１内に埋め込んだものである。なお、アンテナ３は、上記コイルアンテナや棒状に伸びるアンテナに限らず、電波の周波数により様々な形状のものが用いられる。このアンテナ３は、外部から照射された電波を受信する一方、ＩＣチップ２から入力された信号を電波として外部に放射する。
【００１２】
なお、基層１へのアンテナ３の埋め込みは、特許２８１０５４７号公報に開示されているように、基層１の表面を熱によって軟化させてアンテナ３を基層１の表面に圧入することにより、超音波を用いてアンテナ３を基層１の表面に擦り込む（rubbing）ことにより、あるいはその他適切な方法により達成される。また、接着層４Ａ，４Ｂは基層１との接着性に優れた例えば樹脂系接着剤から形成されている。緩衝層６Ａ，６Ｂは、基層１と同様性状の発泡材から形成されており、緩衝性能を備えている。
【００１３】
このように構成された物流用ＩＣタグＸ1によれば、ＩＣチップ２及びアンテナ３を取り囲む３つの層、つまり基層１及び緩衝層６Ａ，６Ｂが緩衝性能を備えているので、外力によって物流過程で物流用ＩＣタグＸ1内に発生する曲げ応力や衝撃性の圧縮応力に対して、ＩＣチップ２やアンテナ３、特にアンテナ３よりも硬くて衝撃に弱いＩＣチップ２を効果的に保護することができる。したがって、このような物流用ＩＣタグＸ1によれば、外力に対する信頼性を従来のＩＣタグよりも向上させることができる。
【００１４】
また、このような物流用ＩＣタグＸ１によれば、ＩＣチップ２は基層１Ａの貫通孔１ａに嵌まり込んだ状態で実装され、また電極部２ａは基層１Ａの座ぐり孔１ｃ内に嵌まり込んだ状態で実装されている。すなわち、ＩＣチップ２だけではなく電極部２ａも基層１内に埋め込まれた状態になっているので、特に衝撃性の圧縮応力に対してＩＣチップ２をより効果的に保護することが可能であり、よって外力に対する信頼性を向上させることができる。
【００１５】
〔第２実施形態〕
第２実施形態に係る物流用ＩＣタグＸ2は、ＴＣＰ（tape carrier package）としてパッケージングされたものであり、薄板状の電極部２ａを備えたＩＣチップ２を用いると共に、図示するように窪み部１ｄと座ぐり孔１ｅとが形成された基層１Ｂを備えている。ＩＣチップ２は窪み部１ｄに嵌め込まれ、また電極部２ａは座ぐり孔１ｅに嵌め込まれている。
【００１６】
このような物流用ＩＣタグＸ2によれば、ＩＣチップ２だけではなく電極部２ａも基層１Ｂ内に埋め込まれた状態となると共に、第１実施形態に係る物流用ＩＣタグＸ1の貫通孔１ａに代えて窪み部１ｄにＩＣチップ２を嵌め込むので、基層１Ｂと緩衝層６Ｃとの２層のみで、つまり簡単な構成でＩＣチップ２及びアンテナ３を効果的に保護することができる。
【図面の簡単な説明】
【００１７】
【図１】本発明の第１実施形態に係わる物流用ＩＣタグの構成図であり、（ａ）は正面図、（ｂ）は当該正面図におけるＡ1−Ａ1線矢視図である。
【図２】本発明の第２実施形態に係わる物流用ＩＣタグの構成図であり、（ａ）は正面図、（ｂ）は当該正面図におけるＡ2−Ａ2線矢視図である。
【符号の説明】
【００１８】
１…基層、２…ＩＣチップ、３…アンテナ、４Ａ，４Ｂ…接着層、６Ａ，６Ｂ…緩衝層
【図１】
2006018501.tif 000003
【図２】
2006018501.tif 000004